(57)【要約】【課題】手で把持して内容物の排出が容易にでき、一定の方向に安定した排出ができ、内容物の漏れてしまう恐れがない、ガゼット袋を提供する。【解決手段】ガゼット袋は、一対の平面部２１、２２と、一対の側面部３１、３２と、前記一対の平面部および前記一対の側面部で形成され、内部に内容物が収納される内容物収納部５と、上部内容物未収納部５１と、前記一対の平面部の一方の平面部２１に設けられた口部７と、前記口部の上方に設けられ、前記内容物収納部と前記上部内容物未収納部を区画する収納部上部シール部４４と、前記上部内容物未収納部の所定の領域の周囲のうち、前記収納部上部シール部側の少なくとも一部分が切り込まれずに、他の部分が切り込まれた形状であり、かつ、前記一対の平面部を貫通するように形成された上部切込み６１と、前記所定の領域内に設けられた貫通部８と、を有する。【選択図】図１
2020033062.tif 000002
【特許請求の範囲】
【請求項１】
一対の平面部と、一対の側面部と、前記一対の平面部および前記一対の側面部で形成され、内部に内容物が収納される内容物収納部と、該内容物収納部の上方に設けられた、内部に内容物が収納されない上部内容物未収納部を有するガゼット袋であって、
前記一対の平面部の一方の平面部に設けられた口部と、
前記口部の上方に設けられ、前記内容物収納部と前記上部内容物未収納部を区画する収納部上部シール部と、
前記上部内容物未収納部の所定の領域の周囲のうち、前記収納部上部シール部側の少なくとも一部分が切り込まれずに、他の部分が切り込まれた形状であり、かつ、前記一対の平面部を貫通するように形成された上部切込みと、
前記所定の領域内に設けられた貫通部と、
を有することを特徴とするガゼット袋。
【請求項２】
前記口部は筒部とフランジ部とからなり、
前記貫通部は略円形状の貫通孔であり、前記貫通孔の直径は、前記口部の前記筒部の外径より大きいことを特徴とする請求項１に記載のガゼット袋。
【請求項３】
前記収納部上部シール部は、前記口部の前記フランジ部に略接することを特徴とする請求項２に記載のガゼット袋。
【請求項４】
前記内容物収納部の下方に設けられた内部に内容物が収納されない下部内容物未収納部と、前記内容物収納部と該下部内容物未収納部を区画する収納部下部シール部と、
前記下部内容物未収納部に設けられた、前記一対の平面部を貫通するように形成された下部切込みと、
をさらに有することを特徴とする請求項１から請求項３のいずれか１項に記載のガゼット袋。
【請求項５】
前記ガゼット袋は二重袋であることを特徴とする請求項１から請求項４のいずれか１項に記載のガゼット袋。
【請求項６】
前記ガゼット袋は、外側容器に収納するバッグインボックスの内側容器であることを特徴とする請求項１から５のいずれか１項に記載のガゼット袋。
【請求項７】
請求項６に記載のガゼット袋を外側容器に収納していることを特徴とするバッグインボックス。
【発明の詳細な説明】
【技術分野】
【０００１】
本発明は、ガゼット袋およびバッグインボックスに関する。
【背景技術】
【０００２】
近年、調味料、酒、ミネラルウォーター等の飲料や工業用薬品などの種々の液体を輸送・保管する際には、使い捨てタイプの容器であるバッグインボックスが広く用いられている。
【０００３】
バッグインボックスは、プラスチックフィルムからなる平袋やガゼット袋、溶融プラスチックをブロー成形して得たブローボトル等の、内容物を充填した内側の容器と、内側の容器を収納するダンボール箱等の外側の容器からなる。そして、内容液体に対する耐水性、耐薬品性、ガスバリア性等、また、輸送時の揺れなどによる外側の容器との擦れや衝突に対する耐摩擦性や耐衝撃性等を内側の容器が持ち、一方、輸送・保管上必要な剛性を外側の容器が持つように構成されている。また、内側の容器には、内容物を充填、排出するための口部が設けられており、外側の容器には、その口部を突出させることができる部分が設けられている。
【０００４】
バッグインボックスの内側の容器として、内容物を充填した際に、略直方体や略立方体等の外側の容器の形状に追随する形状となる、プラスチックフィルムからなるガゼット袋が多く用いられている。ガゼット袋は、一対の平面部とＶ字状に折られた一対の側面部を有する。ガゼット袋は、側面部のない袋と比較すると容量が大きくなるため、大容量の内容物を充填することができる。
【０００５】
バッグインボックスの内側の容器であるガゼット袋の口部は、一方の平面部に開口を設け、フランジ部を有する口部材をその開口の内部から外側に突出させて、フランジ部を平面部内部と接合することによって、取り付けられている。
【０００６】
バッグインボックスの内側の容器であるガゼット袋（バッグインボックス用袋体）を、外側の容器から取り出して手で把持するために、ガゼット袋の上部に把持部を設けたものが開示されている。（特許文献１参照）
【０００７】
一方、容器（ガゼット袋）の上下を手で把持することが可能で、かつ、口部が容器の天部中央部に上を向いて設けられている容器（柔軟容器）が開示されている。（特許文献２参照）
【先行技術文献】
【特許文献】
【０００８】
【特許文献１】実開平０２−８７６３号公報
【特許文献２】米国特許出願公開第２０１１／６９９０８号明細書
【発明の概要】
【発明が解決しようとする課題】
【０００９】
特許文献１に記載のガゼット袋は、手で把持する把持部および口部はともに略直方体または略立方体のガゼット袋の天部に設けられている。そのため、ガゼット袋を手で把持して持ち上げた場合に、口部が斜め上を向いてしまい、内容物を排出しづらかった。また、ガゼット袋の天部（上部）のみを手で把持するため、内容量が多い場合は特に、内容物の排出時に口部の方向が安定せずに、内容物を一定の方向に排出することが困難であるという問題があった。
【００１０】
特許文献２に記載の柔軟容器（ガゼット袋）は、上下を手で把持することができ、内容物の排出が容易であるが、口部の外周において周方向の側面において、一対の平面部、一対の側面部がそれぞれ接合されている。そのため、平面部と側面部との接合部の内端縁が、口部の側面に当接する。内端縁が口部の側面に当接している箇所は、接合による密着が不十分となる場合があり、いわゆるトンネル現象が生じ易く、内容物が漏れてしまう恐れがあるという問題があった。
【００１１】
本発明は上述の事情に鑑みてなされたものであり、手で把持して内容物の排出が容易にでき、一定の方向に安定した排出ができ、内容物の漏れてしまう恐れがないガゼット袋、およびこのガゼット袋を内側の容器として用いたバッグインボックスを提供することを目的とする。
【課題を解決するための手段】
【００１２】
上述の課題を解決するために、本発明のガゼット袋は、一対の平面部と、一対の側面部と、前記一対の平面部および前記一対の側面部で形成され、内部に内容物が収納される内容物収納部と、該内容物収納部の上方に設けられた、内部に内容物が収納されない上部内容物未収納部を有するガゼット袋であって、前記一対の平面部の一方の平面部に設けられた口部と、前記口部の上方に設けられ、前記内容物収納部と前記上部内容物未収納部を区画する収納部上部シール部と、前記上部内容物未収納部の所定の領域の周囲のうち、前記収納部上部シール部側の少なくとも一部分が切り込まれずに、他の部分が切り込まれた形状であり、かつ、前記一対の平面部を貫通するように形成された上部切込みと、前記所定の領域内に設けられた貫通部と、を有する。
【００１３】
前記口部は筒部とフランジ部とからなり、前記貫通部は略円形状の貫通孔であり、前記貫通孔の直径は、前記口部の前記筒部の外径より大きくてもよい。
【００１４】
前記収納部上部シール部は、前記口部の前記フランジ部に略接してもよい。
【００１５】
前記内容物収納部の下方に設けられた内部に内容物が収納されない下部内容物未収納部と、前記内容物収納部と前記下部内容物未収納部を区画する収納部下部シール部と、前記下部内容物未収納部に設けられた、前記一対の平面部を貫通するように形成された下部切込みと、をさらに有してもよい。
【００１６】
前記ガゼット袋は二重袋であってもよい。
【００１７】
前記ガゼット袋は、外側容器に収納するバッグインボックスの内側容器であってもよい。
【００１８】
本発明のバッグインボックスは、上述のガゼット袋を外側容器に収納していることを特徴とする。
【発明の効果】
【００１９】
本発明の各態様によれば、手で把持して内容物の排出が容易にでき、一定の方向に安定した排出ができ、内容物の漏れてしまう恐れがないガゼット袋、およびこのガゼット袋を内側の容器として用いたバッグインボックスを提供することができる。
【図面の簡単な説明】
【００２０】
【図１】本発明の一実施形態に係る扁平状態のガゼット袋を示す外観図である。
【図２】本発明の一実施形態に係るガゼット袋に内容物を収納した状態を示す外観図である。
【図３】本発明の一実施形態に係るガゼット袋を両手で把持して内容物を排出する状態を示す外観図である。
【発明を実施するための形態】
【００２１】
以下、図面を参照して、本発明の一実施形態に係るバッグインボックスの内側の容器であるガゼット袋１について詳細に説明する。まず、本実施形態に係るガゼット袋１の形状について説明する。図１は、本実施形態に係る扁平状態のガゼット袋１を示す外観図である。図２は、本実施形態に係るガゼット袋１に内容物を収納した状態を示す外観図である。
【００２２】
本実施形態に係るガゼット袋１は、プラスチック等のフィルムから構成され、一対の平面部２１、２２と一対の側面部３１、３２とからなるガゼット形状である。側面部３１、３２の各々はフィルムが折り線３１ａ、３２ａにて半折されて形成されている。そして、側面部３１と側面部３２とは、互いに半折された折り線３１ａと３２ａを突き合わせて向かい合った状態で配置されている。その一対の側面部３１、３２を一対の平面部２１、２２により挟持し、端縁同士がヒートシールにより接合されている。
【００２３】
本実施形態では、ガゼット袋１は外袋および内袋からなる二重袋である。すなわち、ガゼット袋１を構成する一対の平面部２１、２２および一対の側面部３１、３２のそれぞれが、外袋を形成するフィルムと内袋を形成するフィルムとの２枚のフィルムから構成されている。
【００２４】
ガゼット袋１の上端部、下端部および左右側端部は、ヒートシールにより形成された上端シール部４１、下端シール部４２および側部シール部４３により閉じられている。そして、ガゼット袋１は、一対の平面部２１、２２および一対の側面部３１、３２で形成された、内部に内容物が収納される内容物収納部５を有している。
【００２５】
上端シール部４１より下方かつ内容物収納部５より上方には、上部内容物未収納部５１を有し、内容物収納部５と上部内容物未収納部５１を区画する、ヒートシールにより形成された収納部上部シール部４４が設けられている。下端シール部４２より上方かつ内容物収納部５より下方には、下部内容物未収納部５２を有し、内容物収納部５と下部内容物未収納部５２を区画する、ヒートシールにより形成された収納部下部シール部４５が設けられている。収納部上部シール部４４および収納部下部シール部４５により、内容物収納部５の上端および下端は閉じられている。
【００２６】
上端シール部４１と収納部上部シール部４４とで仕切られた上部内容物未収納部５１、および下端シール部４２と収納部下部シール部４５とで仕切られた下部内容物未収納部５２には、内容物は収納されず、それぞれ、上部切込み６１および下部切込み６２が形成されている。
【００２７】
収納部上部シール部４４より下方の、一方の平面部２１には、後述する口部７が設けられている。
【００２８】
収納部上部シール部４４と側面部３１、３２の折り線３１ａ、３２ａとのそれぞれの交点から内容物収納部５を通って、側部シール部４３に向けて上部斜めシール部４６が設けられている。同様に、収納部下部シール部４５と側面部３１、３２の折り線３１ａ、３２ａとのそれぞれの交点から内容物収納部５を通って、側部シール部４３に向けて下部斜めシール部４７が設けられている。
【００２９】
上部切込み６１は、上部内容物未収納部５１において、手で把持するための部分を形成する。そして、上部切込み６１に囲まれた領域内に後述する貫通部である貫通孔８が形成される。
【００３０】
上部切込み６１は、所定の領域を囲む周囲が、収納部上部シール部４４側の少なくとも一部分が切り込まれずに、他の部分が切り込まれた形状の切込みである。本実施形態においては、上部切込み６１は、収納部上部シール部４４の上端の一部を底辺とした略四角形状の領域を囲む周囲が、略四角形状の底辺となる部分には切込みが施されておらず、それ以外の部分が切り込まれている形状である。すなわち、収納部上部シール部４４側の底辺を残し、他の部分はガゼット袋１を貫通している略逆Ｕ字形状の切込みである。
【００３１】
上部切込み６１は、ガゼット袋１を貫通して形成されている。すなわち両平面部２１、２２を貫通して形成されている。上部切込み６１の位置に側面部３１、３２も重なっている箇所では、側面部３１、３２も一緒に貫通して切込みが形成されている。そして、切り込まれていない略四角形状の底辺を折り曲げ線として、上部切込み６１で囲まれた略四角形状の領域を折り曲げて倒すことで、ガゼット袋１を手で把持するための穴が形成される。
【００３２】
上部切込み６１の大きさは、略四角形状の領域の内部に、後述する貫通孔８を含む大きさであればよく、また、人の手の親指以外の４本の指が入る程度の大きさが好ましい。例えば、略四角形状の上辺および底辺の長さは７０ｍｍ〜１００ｍｍが好ましく、略四角形状の高さは６０ｍｍ〜１００ｍｍであることが好ましい。
【００３３】
上部切込み６１は、上部内容物未収納部５１において、手で把持することができるように形成され、また、その領域内に後述する貫通孔８を含むものであれば、略四角形状の領域の周囲の略逆Ｕ字形状には限定されず、どのような形状でもよい。
【００３４】
上部切込み６１に囲まれた所定の領域内には、ガゼット袋１を貫通する貫通孔８が設けられている。貫通孔８は略円形状である。貫通孔８の直径は、後述する口部７の筒部７１を通すことができるように、口部７の筒部７１の外径より大きいが、大きすぎず、わずかに大きい程度が好ましい。また、口部７の筒部７１の外径と等しいか、やや小さい場合でも、ガゼット袋１のフィルムが延びるため、口部７の筒部７１を通すことができ、この筒部７１をしっかりと保持することができて好ましい。貫通孔８の外周部分や上部切込み６１に沿った部分において、貫通孔８や上部切込み６１がガゼット袋１を貫通することで平面部２１、２２および側面部３１、３２を形成するフィルムがそれぞれバラバラになるのを防ぐため、貫通孔８の外周部分や上部切込み６１に沿った部分のフィルムがヒートシールにより接合されて、それぞれのフィルムが一体に閉じられていてもよい。
【００３５】
なお、貫通部としては、後述する口部７の筒部７１を通すことができればよいので、貫通孔ではなく、貫通した十字や放射状の切込みが入れられていてもよい。この場合、切込みは両平面部２１、２２を貫通して形成されている。すなわち、この場合は十字や放射状の切込みにより貫通部が形成される。しかし後述するように、口部７がガゼット袋１の上方に向いて引っ張られるとの貫通部の効果を奏するためには、筒部７１をしっかり保持できる貫通孔であることが好ましい。
【００３６】
下部切込み６２は、下部内容物未収納部５２に、一対の平面部２１、２２を貫通するように形成され、ガゼット袋１を手で把持するための部分を形成する切込みである。
【００３７】
本実施形態における下部切込み６２は、所定の領域の周囲が、収納部下部シール部４５側の少なくとも一部分が切り込まれずに、他の部分が切り込まれた形状の切込みである。本実施形態においては、収納部下部シール部４５の下端の一部を頂辺とした略四角形状の領域を囲む周囲が、略四角形状の頂辺となる部分には切込みが施されておらず、それ以外の部分が切り込まれている形状である。すなわち、収納部下部シール部４５側の頂辺を残し、他の部分はガゼット袋１を貫通している略Ｕ字形状の切込みである。
【００３８】
なお、下部切込み６２の形状は本実施形態の形状に限らない。例えば、下端シール部４２の上端を底辺とする略四角形状の領域の周囲が、この底辺となる部分には切込みが施されておらず、それ以外の部分が切り込まれている形状であってもよい。また、下部切込み６２の略四角形状の領域の囲む周囲の全ての辺が貫通しており、すなわち、略四角形状の領域が切り抜かれている貫通孔であってもよい。また、下部切込み６２は手で把持するための部位であり、下部内容物未収納部５２において、手で把持することができれば、どのような形状であってもよい。
【００３９】
口部７は、内容物収納部５の内容物を注出入するためのものであり、筒部７１とフランジ部７２とからなる公知の構成である。筒部７１は円筒状であり、外周にはねじ部が設けられており、内部にねじ部が設けられているキャップ（図示なし）と嵌合することにより密封可能である。フランジ部７２は、筒部７１の下端から水平方向に円形状に広がっている。フランジ部７２の筒部７１側の面は、ガゼット袋１の内面と接合される面である。本実施形態のガゼット袋１は二重袋であるため、ここでのガゼット袋の内面とは、二重袋の内袋の内面を意味する。少なくともフランジ部７２が、ガゼット袋１の内面と熱融着可能な同種の合成樹脂などから形成されていることが望ましい。
【００４０】
口部７は、ガゼット袋１の一方の平面部２１に取り付けられている。詳細には、一方の平面部２１に開口が設けられており、口部７の筒部７１が、ガゼット袋１の内部から、一方の平面部２１の開口を通して外部へ突出している。口部７のフランジ部７２は、その筒部７１側の面がガゼット袋１の内面と熱融着により接合されている。このため、特許文献２のように、ガゼット袋の平面部と側面部との接合部の内端縁が口部の側面に当接しない。よって、口部７とガゼット袋１との密着が不十分になることがなく、トンネル現象を生じることがないため、口部７とガゼット袋１の接合箇所から内容物が漏れることは抑制される。
【００４１】
ガゼット袋１の上部斜めシール部４６および収納部上部シール部４４は、口部７のフランジ部７２の外周に略接している。ここで略接しているとは、これらのシール部と接している状態、およびわずかに離れていている状態を含む。
【００４２】
内容物が充填されたガゼット袋１の内容物収納部５は、図２のように、収納部上部シール部４４が天部の中心線、収納部下部シール部４５が底部の中心線となるような略立方体または略直方体形状に広がる。収納部上部シール部４４は、口部７のフランジ部７２の外周に略接しているため、口部７が、内容物収納部５の天部の中央部に近づく。さらに二本の上部斜めシール部４６が、口部７のフランジ部７２の外周と略接することで、三方向から口部７が支えられて口部７の向きが安定し、一定の方向に安定した排出ができる。
【００４３】
次に、本実施形態のガゼット袋１の使用方法について説明する。まず、本実施形態のガゼット袋１において、口部７から内容物収納部５の内部に内容物を充填する。内容物が充填されたガゼット袋１の内容物収納部５は、略直方体または略立方体となる。詳細には、ガゼット袋１は二本の下部斜めシール部４７と二本の側部シール部４３とのそれぞれの交点を結ぶ直線付近で折れ曲がり、折れ曲がった部分より下方で収納部下部シール部４５までが内容物収納部５の底部となる。また、ガゼット袋１は二本の上部斜めシール部４６と二本の側部シール部４３とのそれぞれの交点を結ぶ直線付近で折れ曲がり、折れ曲がった部分より上方で収納部上部シール部４４までが、内容物収納部５の天部となる。そして、内容物収納部５は、収納部下部シール部４５の内縁が底部の中心線、収納部上部シール部４４の内縁が天部の中心線であるような略直方体または略立方体となる。
【００４４】
口部７のフランジ部７２の外周がガゼット袋１の収納部上部シール部４４と略接して設けられているため、内容物収納部５が直方体または立方体となった際に、口部７は内容物収納部５の天部の中心線を形成している収納部上部シール部４４と略接する。このため、口部７は内容物収納部５の天部の中央部に近づき、口部７の開口が上方に近い方向を向く。
【００４５】
次に、上部切込み６１で囲まれた略四角形状の領域を口部７側に折り曲げて倒し、貫通孔８に口部７の筒部７１を通して、略四角形状の領域を筒部７１に引っかける。このように、略四角形状の領域を口部７の筒部７１に引っかけることで、折り曲げられた略四角形状の領域が元の位置に戻ろうとするため、口部７がガゼット袋の上方に向いて引っ張られる。そのため、口部７が一方の平面部２１に融着されて固定されているだけの状態よりも、口部７の開口がガゼット袋の上方を向く。また、口部７が一方の平面部２１に融着されて固定されているだけの状態よりも、内容物排出時の口部７の動きが抑えられ、安定する。
【００４６】
この状態において、上部内容物未収納部５１は、上部切込み６１で囲まれた領域が穴となっており、一方の手でこの穴を介してガゼット袋を担持し、他方の手で下部切込み６２を介してガゼット袋１を把持する。このように、内容物収納部５を挟んで、両手でガゼット袋１を把持することができる。図３は、ガゼット袋１を両手で把持した状態を示す外観図である。これにより、内容物収納部５の内容物を容易に排出することができ、また、口部７の動きが抑えられることで、一定方向に安定した排出が可能となる。
【００４７】
このように、本実施形態のガゼット袋１は、内容物収納部５の外側上部の上部内容物未収納部５１に上部切込み６１が設けられていることで、ガゼット袋１の上部を手で把持することができる。また、貫通孔８を口部７に通し、上部切込み６１で囲まれた領域を口部７に引っかけることで、口部７がガゼット袋の開口上方を向くため、内容物排出時の口部７の動きが抑えられ、安定する。
【００４８】
また、口部７は筒部７１を有し、貫通孔８の直径が筒部７１の外径よりも大きい場合、貫通孔８に筒部７１を容易に通すことができるため好ましい。口部７のフランジ部７２の外周が収納部上部シール部４４に略接することで、口部７が内容物収納部５の天部の中心部に近い位置にあり、上方を向きやすく、また、上部切込み６１で囲まれた領域を口部７側へ折り曲げて倒し、貫通孔８に口部７の筒部７１を通して、上部切込み６１で囲まれた領域を筒部７１に引っかけることで、口部７の開口が上方に向いて引っ張られ、これにより、口部７が一方の平面部２１に融着されて固定されているだけの状態よりも口部７の開口がさらに上方を向き、内容物排出時の口部７の動きが抑えられるため、容易に、一定方向に安定した排出が可能である。また、貫通孔８の直径が筒部７１の外径と等しいか、やや小さい場合には、貫通孔８が筒部７１をしっかり保持して、口部７が上方に向いて引っ張られ、内容物排出時の口部７の動きをより抑えることを可能にするから好ましい。さらに、内容物収納部５の下方の下部内容物未収納部５２に下部切込み６２が設けられていることで、内容物収納部５を挟んで、一方の手で上部切込み部６１により設けられた穴を把持し、他方の手で下部切込み部６２により設けられた穴を把持することで、両手でガゼット袋１を把持することが可能であるため、内容物収納部５の内容物を容易に排出することができ、また、口部７の動きが抑えられることで、一定方向に安定した排出が可能となる。
【００４９】
次に、本実施形態のガゼット袋１の材質について説明する。本実施形態では、ガゼット袋１は二重袋である。ただし、本発明のガゼット袋は二重袋に限定されず、１枚のフィルムや３枚以上のフィルムからなるガゼット袋であってもよい。本実施形態のガゼット袋１である二重袋は、一対の平面部２１、２２、一対の側面部３１、３２がそれぞれ、外袋を形成する外袋フィルムと内袋を形成する内袋フィルムとから構成されている。
【００５０】
バッグインボックスの内側容器として用いるガゼット袋である場合、二重袋であることが好ましい。バッグインボックスは、例えば２〜２０リットル程度の液体の内容物をバッグインボックスの内側容器に充填したものを、ダンボール箱などの外側容器に収納した状態で流通される。流通段階において、外側容器と内側容器との擦れや衝撃、内容物の流動によって内側容器にピンホールが開いて内容物が漏れ出すのを防止するため、衝撃を吸収するよう二重袋とされている。
【００５１】
外袋フィルムは、例えば、耐熱性、耐衝撃性を有する外層フィルムと、シール性を有する内層フィルムとの積層体から形成されている。外層フィルムとしては、例えば二軸延伸されたポリアミドフィルムが用いられている。しかし、二軸延伸ポリアミドフィルムには限定されず、二軸延伸ポリエチレンテレフタレートフィルムなどを用いてもよい。また、酸素や水分が外部から浸透しないように、これらに対する遮断効果を有する、金属酸化物や金属の蒸着膜が付与された二軸延伸ポリアミドフィルムや二軸延伸ポリエチレンテレフタレートフィルムを用いてもよい。
【００５２】
内層フィルムとしては、例えば、低密度ポリエチレン、直鎖状低密度ポリエチレン、高密度ポリエチレン等のポリエチレン、ポリプロピレン等のポリオレフィンの未延伸フィルム、またはこれらの樹脂を外層フィルム上に層状に押出したものが用いられる。
【００５３】
外層フィルムと内層フィルムとを公知のドライラミネート法や押出しラミネート法などにより積層することで、外袋フィルムを形成することができる。内袋フィルムは、外袋フィルムの内層フィルムと各シール部においてヒートシールにより接合される必要があるため、外袋フィルムの内層フィルムと熱融着可能な同材質の樹脂からなるフィルムが用いられる。
【００５４】
以上、本発明の好ましい実施形態を説明したが、本発明はこれら実施形態およびその変形例に限定されることはない。詳細には、本実施形態のガゼット袋１は、下部切込み６２を有し、収納部上部シール部４４は、口部７のフランジ部７２に略接する形態であるが、本発明のガゼット袋はこれに限定されるものではない。本発明の趣旨を逸脱しない範囲で、構成の付加、省略、置換、およびその他の変更が可能である。
【００５５】
本明細書において「前、後ろ、上、下、右、左、垂直、水平、縦、横、外および内」などの方向を示す言葉は、本発明の構成におけるこれらの方向を説明するために使用している。従って、本発明の明細書を説明するために使用されたこれらの言葉は、本発明の構成において相対的に解釈されるべきである。
【符号の説明】
【００５６】
１…ガゼット袋、２１、２２…平面部、３１、３２…側面部、３１ａ、３２ａ…折り線、４１…上端シール部、４２…下端シール部、４３…側部シール部、４４…収納部上部シール部、４５…収納部下部シール部、４６…上部斜めシール部、４７…下部斜めシール部、５…内容物収納部、５１…上部内容物未収納部、５２…下部内容物未収納部、６１…上部切込み、６２…下部切込み、７…口部、７１…筒部、７２…フランジ部、８…貫通孔
【図１】
2020033062.tif 000003
【図２】
2020033062.tif 000004
【図３】
2020033062.tif 000005